(57)【要約】      （修正有）【課題】維持放電回路で小さな耐圧のトランジスタを使用することができるプラズマ表示装置を提供する。【解決手段】トランジスタＳ１のドレインがＶｓ/２電圧を供給する電源に連結され、トランジスタＳ１のソースと接地端との間にトランジスタＳ２が連結されている。キャパシタＣ２の第１端がトランジスタＳ１とトランジスタＳ２の接続点に連結されており、キャパシタＣ１の第１端がキャパシタＣ２の第２端に連結されており、Ｖｓ/２電源とキャパシタＣ１の第２端の間にダイオードＤ１が連結されている。トランジスタＳ３とＳ４は互いにバックツーバックで連結されインダクタＬと共に互いに直列に連結されている。そしてトランジスタＳ５はキャパシタＣ１の第２端と複数の第１電極Ｘの間に連結され、トランジスタＳ６はキャパシタＣ２の第１端と複数の第１電極Ｘの間に連結されている。【選択図】図３
2007122049.tif 000002
【特許請求の範囲】
【請求項１】
複数の第１電極と、
第１電圧を供給する第１電源に第１端が電気的に連結する第１トランジスタと、
前記第１トランジスタの第２端に第１端が電気的に連結され、第２電圧を供給する第２電源に第２端が電気的に連結されている第２トランジスタと、
第３電圧を充電しており、第１端が前記第１トランジスタと前記第２トランジスタの接続点に電気的に連結されている第１キャパシタと、
第４電圧を充電しており、第１端が前記第１キャパシタの第２端に電気的に連結されている第２キャパシタと、
前記第１電源と前記第２キャパシタの第２端の間に電気的に連結されている充電経路と、
前記第１キャパシタの第２端と前記複数の第１電極の間に互いに電気的に直列に連結されているインダクタ、第３及び第４トランジスタと、
前記第２キャパシタの第２端と前記複数の第１電極の間に電気的に連結されている第５トランジスタと、
前記複数の第１電極と前記第１キャパシタの第１端の間に電気的に連結されている第６トランジスタと、
を含むことを特徴とするプラズマ表示装置。
【請求項２】
前記第３及び第４トランジスタは互いにバックツーバックで電気的に連結されていることを特徴とする請求項１に記載のプラズマ表示装置。
【請求項３】
前記インダクタの第１端は前記第１キャパシタの第２端に電気的に連結されており、前記第３及び第４トランジスタは前記インダクタの第２端と前記複数の第１電極の間に電気的に連結されていることを特徴とする請求項２に記載のプラズマ表示装置。
【請求項４】
前記充電経路は前記第１電源にアノードが電気的に連結されていて、前記第２キャパシタの第２端にカソードが電気的に連結されている第１ダイオードを含むことを特徴とする請求項１に記載のプラズマ表示装置。
【請求項５】
前記インダクタの第２端にアノードが電気的に連結されており、前記第２キャパシタの第２端にカソードが電気的に連結されている第２ダイオードと、
前記インダクタの第２端にカソードが電気的に連結されており、前記第１キャパシタの第１端にアノードが電気的に連結されている第３ダイオードと、
をさらに含むことを特徴とする請求項３に記載のプラズマ表示装置。
【請求項６】
前記第３電圧と前記第４電圧は同一電圧であることを特徴とする請求項１に記載のプラズマ表示装置。
【請求項７】
前記第２トランジスタの導通時に前記第１キャパシタ及び前記第２キャパシタが各々前記第３電圧及び前記第４電圧で充電され、前記第３電圧と前記第４電圧の合計は前記第１電圧と前記第２電圧の差に相当することを特徴とする請求項１乃至６のいずれかに記載のプラズマ表示装置。
【請求項８】
第１期間の間に前記第２及び第６トランジスタを導通状態に設定し、第２期間の間に前記第２及び第３トランジスタを導通状態に設定し、第３期間の間に前記第２及び第５トランジスタを導通状態に設定し、第４期間の間に前記第１及び第３トランジスタを導通状態に設定し、第５期間の間に前記第１及び第５トランジスタを導通状態に設定し、第６期間の間に前記第１及び第４トランジスタを導通状態に設定し、第７期間の間に前記第２及び第５トランジスタを導通状態に設定し、第８期間の間に前記第２及び第４トランジスタを導通状態に設定する制御部をさらに含むことを特徴とする請求項１乃至６のいずれかに記載のプラズマ表示装置。
【請求項９】
前記第２電圧は接地電圧であり、前記第１電圧は正の電圧であることを特徴とする請求項１乃至６のいずれかに記載のプラズマ表示装置。
【請求項１０】
前記第１電圧は接地電圧であり、前記第２電圧は負の電圧であることを特徴とする請求項１乃至６のいずれかに記載のプラズマ表示装置。
【請求項１１】
第１電極と第２電極を含むプラズマ表示装置を駆動する方法において、
第１電圧を充電している第１キャパシタに貯蔵されたエネルギーを前記第１電極に電気的に連結されたインダクタを通じて前記第１電極に注入して、前記第１電極の電圧を増加させる段階と、
前記第１キャパシタと第２電圧を充電している第２キャパシタを通じて前記第１電極に前記第１電圧と前記第２電圧の合計に相当する第３電圧を印加する段階と、
第４電圧を供給する第１電源と前記第１キャパシタに貯蔵されたエネルギーを前記インダクタを通じて前記第１電極に注入して前記第１電極の電圧を増加させる段階と、
前記第１電源と前記第１及び第２キャパシタを通じて前記第１電極に前記第３電圧と前記第４電圧の合計に相当する第５電圧を印加する段階と、
前記第１電極に貯蔵されたエネルギーを前記インダクタを通じて前記第１キャパシタ及び前記第１電源に回収して前記第１電極の電圧を減少させる段階と、
前記第１及び第２キャパシタを通じて前記第１電極に前記第３電圧を印加する段階と、
前記第１電極に貯蔵されたエネルギーを前記インダクタを通じて前記第１キャパシタに回収して前記第１電極の電圧を減少させる段階と、
前記第１電極に前記第４電圧より低い第６電圧を印加する段階と、
を含むことを特徴とするプラズマ表示装置の駆動方法。
【請求項１２】
前記第１電極に前記第６電圧を印加する段階は、前記第１電源を通じて前記第１及び第２キャパシタを各々前記第１電圧及び前記第２電圧で充電する段階をさらに含むことを特徴とする請求項１１に記載のプラズマ表示装置の駆動方法。
【請求項１３】
前記第１電極に前記第３電圧を印加する段階は、前記インダクタに残っているエネルギーを前記第１及び第２キャパシタに回収する段階をさらに含むことを特徴とする請求項１１に記載のプラズマ表示装置の駆動方法。
【請求項１４】
前記第１電極に前記第５電圧を印加する段階は前記第２電極に前記第６電圧を印加する段階を含み、
前記第１電極に前記第６電圧を印加する段階は前記第２電極に前記第５電圧を印加する段階を含むことを特徴とする請求項１１乃至１３のいずれかに記載のプラズマ表示装置の駆動方法。
【請求項１５】
前記第３電圧と前記第４電圧は同一であり、前記第６電圧は接地電圧であることを特徴とする請求項１４に記載のプラズマ表示装置の駆動方法。
【請求項１６】
前記第１電圧と前記第２電圧は同一であり、前記第３電圧と前記第４電圧は同一であることを特徴とする請求項１１乃至１３のいずれかに記載のプラズマ表示装置の駆動方法。
【請求項１７】
前記第４電圧と前記第６電圧の差は前記第５電圧と前記第６電圧の差の半分に相当することを特徴とする請求項１１乃至１３のいずれかに記載のプラズマ表示装置の駆動方法。
【請求項１８】
第１電極と第２電極を含むプラズマ表示装置を駆動する駆動装置において、
第１電圧を充電している第１キャパシタと、
第２電圧を充電しており、前記第１キャパシタの第１端に第１端が電気的に連結されている第２キャパシタと、
前記第１キャパシタの第２端と前記第１電極の間に電気的に連結されている第１トランジスタと、
前記第２キャパシタの第２端と前記第１電極の間に電気的に連結されている第２トランジスタと、
前記第１キャパシタと前記第２キャパシタの接続点と前記複数の第１電極の間に電気的に連結されているインダクタと、
前記接続点と前記複数の第１電極の間に形成されており、共振によって前記第１電極の電圧を上昇させる第１共振経路と、
前記接続点と前記複数の第１電極の間に形成されており、共振によって前記第１電極の電圧を下降させる第２共振経路と、
前記第２キャパシタの第２端に第３電圧と前記第３電圧より低い第４電圧を選択的に印加するスイッチング部と、
を含むことを特徴とするプラズマ表示装置の駆動装置。
【請求項１９】
前記第１共振経路は前記インダクタに電気的に直列に連結されている第３トランジスタを含み、
前記第２共振経路は前記インダクタ及び前記第３トランジスタと電気的に直列に連結されている第４トランジスタを含み、
前記第３トランジスタと前記第４トランジスタはソースが互いに電気的に連結されていることを特徴とする請求項１８に記載のプラズマ表示装置の駆動装置。
【請求項２０】
前記第１共振経路は前記第３トランジスタと前記第４トランジスタのボディーダイオードを通じて形成され、
前記第２共振経路は前記第４トランジスタと前記第３トランジスタのボディーダイオードを通じて形成されることを特徴とする請求項１９に記載のプラズマ表示装置の駆動装置。
【請求項２１】
前記第２キャパシタの第２端に前記第４電圧を印加した状態で前記第１共振経路を通じて前記第１電極の電圧を上昇させ、
前記第２キャパシタの第２端に前記第４電圧を印加した状態で前記第１トランジスタを導通して前記第１電極に前記第４電圧、前記第１電圧、前記第２電圧の合計に相当する第５電圧を印加し、
前記第２キャパシタの第２端に前記第３電圧を印加した状態で前記第１共振経路を通じて前記第１電極の電圧を上昇させ、
前記第２キャパシタの第２端に前記第３電圧を印加した状態で前記第１トランジスタを導通して前記第１電極に前記第３電圧、前記第１電圧、前記第２電圧の合計に相当する第６電圧を印加し、
前記第２キャパシタの第２端に前記第３電圧を印加した状態で前記第２共振経路を通じて前記第１電極の電圧を下降させ、
前記第２キャパシタの第２端に前記第４電圧を印加した状態で前記第１トランジスタを導通して前記第１電極に前記第５電圧を印加し、
前記第２キャパシタの第２端に前記第４電圧を印加した状態で前記第２共振経路を通じて前記第１電極の電圧を下降させ、
前記第２キャパシタの第２端に前記第４電圧を印加した状態で前記第２トランジスタを導通して前記第１電極に前記第４電圧を印加することを特徴とする請求項１８に記載のプラズマ表示装置の駆動装置。
【請求項２２】
前記第１電圧と前記第２電圧は同一であり、前記第１電圧と前記第２電圧の合計は前記第３電圧と前記第４電圧の差と同一であることを特徴とする請求項１８乃至２１のいずれかに記載のプラズマ表示装置の駆動装置。
【発明の詳細な説明】
【技術分野】
【０００１】
本発明はプラズマ表示装置及びその駆動装置と駆動方法に関し、特にプラズマ表示装置のエネルギー回収回路に関するものである。
【背景技術】
【０００２】
プラズマ表示装置は気体放電によって生成されたプラズマを利用して文字または映像を表示する装置である。一般にプラズマ表示装置は一つのフレームが複数のサブフィールドに分割されて駆動される。各サブフィールドのアドレス期間の間に点灯されるセルと点灯されないセルが選択され、維持期間の間に実際に映像を表示するために点灯されるセルに対して維持放電が行われる。
【０００３】
特に、維持期間の間に維持放電を行う電極にハイレバル電圧とローレベル電圧が交互に印加されるので、ハイレバル電圧とローレベル電圧を印加するためのトランジスタは少なくともハイレバル電圧とローレベル電圧の差に相当する電圧を耐圧として持たなければならない。このように大きな耐圧を有するトランジスタを用いる必要があることから維持放電回路の単価が増加する。
【発明の開示】
【発明が解決しようとする課題】
【０００４】
本発明が解決しようとする技術的課題は、維持放電回路で小さな耐圧のトランジスタを使用することができるプラズマ表示装置及びその駆動装置と駆動方法を提供することにある。
【課題を解決するための手段】
【０００５】
前記目的を達成するための本発明の特徴によればプラズマ表示装置が提供される。
【０００６】
このプラズマ表示装置は複数の第１電極と、第１電圧を供給する第１電源に第１端が電気的に連結される第１トランジスタと、前記第１トランジスタの第２端に第１端が電気的に連結され、第２電圧を供給する第２電源に第２端が電気的に連結されている第２トランジスタと、第３電圧を充電しており、第１端が前記第１トランジスタと前記第２トランジスタの接続点に電気的に連結されている第１キャパシタと、第４電圧を充電しており、第１端が前記第１キャパシタの第２端に電気的に連結されている第２キャパシタと、前記第１電源と前記第２キャパシタの第２端間に電気的に連結されている充電経路と、前記第１キャパシタの第２端と前記複数の第１電極の間に互いに電気的に直列に連結されているインダクタ、第３及び第４トランジスタと、前記第２キャパシタの第２端と前記複数の第１電極の間に電気的に連結されている第５トランジスタと、前記複数の第１電極と前記第１キャパシタの第１端の間に電気的に連結されている第６トランジスタとを含む。
【０００７】
ここで、第１期間の間に前記第２及び第６トランジスタを導通状態に設定し、第２期間の間に前記第２及び第３トランジスタを導通状態に設定し、第３期間の間に前記第２及び第５トランジスタを導通状態に設定し、第４期間の間に前記第１及び第３トランジスタを導通状態に設定し、第５期間の間に前記第１及び第５トランジスタを導通状態に設定し、第６期間の間に前記第１及び第４トランジスタを導通状態に設定し、第７期間の間に前記第２及び第５トランジスタを導通状態に設定し、第８期間の間に前記第２及び第４トランジスタを導通状態に設定する制御部をさらに含む。
【０００８】
本発明の他の特徴によれば、第１電極と第２電極を含むプラズマ表示装置を駆動する方法が提供される。
【０００９】
この駆動方法は、第１電圧を充電している第１キャパシタに貯蔵されたエネルギーを前記第１電極に電気的に連結されたインダクタを通じて前記第１電極に注入して前記第１電極の電圧を増加させる段階と、前記第１キャパシタと第２電圧を充電している第２キャパシタを通じて前記第１電極に前記第１電圧と前記第２電圧の合計に相当する第３電圧を印加する段階と、第４電圧を供給する第１電源と前記第１キャパシタに貯蔵されたエネルギーを前記インダクタを通じて前記第１電極に注入して前記第１電極の電圧を増加させる段階と、前記第１電源と前記第１及び第２キャパシタを通じて前記第１電極に前記第３電圧と前記第４電圧の合計に相当する第５電圧を印加する段階と、前記第１電極に貯蔵されたエネルギーを前記インダクタを通じて前記第１キャパシタ及び前記第１電源に回収して前記第１電極の電圧を減少させる段階と、前記第１及び第２キャパシタを通じて前記第１電極に前記第３電圧を印加する段階と、前記第１電極に貯蔵されたエネルギーを前記インダクタを通じて前記第１キャパシタに回収して前記第１電極の電圧を減少させる段階と、前記第１電極に前記第４電圧より低い第６電圧を印加する段階とを含む。
【００１０】
本発明の他の特徴によれば、第１電極と第２電極を含むプラズマ表示装置を駆動する駆動装置が提供される。
【００１１】
この駆動装置は、第１電圧を充電している第１キャパシタと、第２電圧を充電しており、前記第１キャパシタの第１端に第１端が電気的に連結されている第２キャパシタと、前記第１キャパシタの第２端と前記第１電極の間に電気的に連結されている第１トランジスタと、前記第２キャパシタの第２端と前記第１電極の間に電気的に連結されている第２トランジスタと、前記第１キャパシタと前記第２キャパシタの接続点と前記複数の第１電極の間に電気的に連結されているインダクタと、前記接続点と前記複数の第１電極の間に形成されており、共振を通じて前記第１電極の電圧を上昇させる第１共振経路と、前記接続点と前記複数の第１電極の間に形成されており、共振を通じて前記第１電極の電圧を下降させる第２共振経路と、前記第２キャパシタの第２端に第３電圧と前記第３電圧より低い第４電圧を選択的に印加するスイッチング部とを含む。
【００１２】
ここで、前記第２キャパシタの第２端に前記第４電圧を印加した状態で前記第１共振経路を通じて前記第１電極の電圧を上昇させ、前記第２キャパシタの第２端に前記第４電圧を印加した状態で前記第１トランジスタを導通して、前記第１電極に前記第４電圧、前記第１電圧、前記第２電圧の合計に相当する第５電圧を印加し、前記第２キャパシタの第２端に前記第３電圧を印加した状態で前記第１共振経路を通じて前記第１電極の電圧を上昇させ、前記第２キャパシタの第２端に前記第３電圧を印加した状態で前記第１トランジスタを導通して、前記第１電極に前記第３電圧、前記第１電圧、前記第２電圧の合計に相当する第６電圧を印加し、前記第２キャパシタの第２端に前記第３電圧を印加した状態で前記第２共振経路を通じて前記第１電極の電圧を下降させ、前記第２キャパシタの第２端に前記第４電圧を印加した状態で前記第１トランジスタを導通して前記第１電極に前記第５電圧を印加し、前記第２キャパシタの第２端に前記第４電圧を印加した状態で前記第２共振経路を通じて前記第１電極の電圧を下降させ、前記第２キャパシタの第２端に前記第４電圧を印加した状態で前記第２トランジスタを導通して、前記第１電極に前記第４電圧を印加する。
【発明の効果】
【００１３】
本発明によれば、小さな耐圧を有するトランジスタを使用することができるので、維持放電回路の単価を減少させることができる。
【発明を実施するための最良の形態】
【００１４】
以下、添付した図面を参照して本発明の実施形態について本発明が属する技術分野における通常の知識を有する者が容易に実施できるように詳しく説明する。しかし、本発明は多様で相異なる形態に実現することができ、ここで説明する実施形態に限られない。そして図面で本発明を明確に説明するために説明上不必要な部分は省略しており、明細書全体にわたって類似な部分に対しては類似の図面符号を付けた。
【００１５】
明細書全体にわたってある部分が他の部分と“連結”されているとする時、これは“直接的に連結”されている場合だけでなく、その中間に他の素子を間において“電気的に連結”されている場合も含む。また、ある部分がある構成要素を“含む”とするとする時、これは特に反対になる記載がない限り、他の構成要素を除くことでなく、他の構成要素をさらに含むことができることを意味する。
【００１６】
そして明細書全体で電圧を維持するという表現は特定２点間の電位差が時間経過によって変化してもその変化が設計上許容できる範囲内であるか、変化の原因が当業者の設計慣行では無視されている寄生成分による場合を含む。また、放電電圧に比べて半導体素子（トランジスタ、ダイオード等）のしきい電圧が非常に低いので、しきい電圧を０Ｖと見なして近似処理する。
【００１７】
次に、本発明の実施形態によるプラズマ表示装置及びその駆動装置と駆動方法について図面を参照して詳細に説明する。
【００１８】
図１は本発明の実施形態によるプラズマ表示装置の概略的な概念図であり、図２は本発明の第１実施形態による維持放電パルスを示す図面である。
【００１９】
図１に示したように、本発明の実施形態によるプラズマ表示装置はプラズマ表示パネル１００、制御部２００、アドレス電極駆動部３００、維持電極駆動部４００及び走査電極駆動部５００を含む。
【００２０】
プラズマ表示パネル１００は列方向に伸びている複数のアドレス電極（以下、“Ａ電極”と言う）Ａ１〜Ａｍ、そして行方向に互いに対をなしながら伸びている複数の維持電極（以下、“Ｘ電極”と言う）Ｘ１〜Ｘｎ及び走査電極（以下、“Ｙ電極”と言う）Ｙ１〜Ｙｎを含む。一般にＸ電極Ｘ１〜Ｘｎは各Ｙ電極Ｙ１〜Ｙｎに対応して形成されており、Ｙ電極Ｙ１〜ＹｎとＸ電極Ｘ１〜ＸｎはＡ電極Ａ１〜Ａｍと直交するように配置される。この時、Ａ電極Ａ１〜ＡｍとＸ及びＹ電極Ｘ１〜Ｘｎ、Ｙ１〜Ｙｎの交差部にある放電空間が放電セル１１０を形成する。
【００２１】
制御部２００は外部から映像信号を受信して駆動制御信号を出力し、一つのフレームを各々の輝度加重値を持つ複数のサブフィールドに分割して駆動する。そして各サブフィールドはアドレス期間及び維持期間を含む。Ａ電極、Ｘ電極及びＹ電極をそれぞれ駆動するアドレス電極駆動部３００、維持電極駆動部４００、走査電極駆動部５００は制御部２００からの駆動制御信号によって各々Ａ電極Ａ１〜Ａｍ、Ｘ電極Ｘ１〜Ｘｎ及びＹ電極Ｙ１〜Ｙｎに駆動電圧を印加する。
【００２２】
具体的に、各サブフィールドのアドレス期間の間にＡ電極、Ｘ電極及びＹ電極をそれぞれ駆動するアドレス電極駆動部３００、維持電極駆動部４００、走査電極駆動部５００は複数の放電セル１１０中で当該サブフィールドで点灯される放電セルと点灯されない放電セルを選択する。各サブフィールドの維持期間の間に図２に示したようにＸ電極駆動部４００は複数のＸ電極Ｘ１〜Ｘｎにハイレバル電圧Ｖｓ及びローレベル電圧（０Ｖ）を交互に持つ維持放電パルスを当該サブフィールドの加重値に相当する回数だけ印加する。そしてＹ電極駆動部５００は複数のＹ電極Ｙ１〜Ｙｎに維持放電パルスをＸ電極Ｘ１〜Ｘｎに印加される維持放電パルスと反対位相に印加する。このようにすれば、各Ｙ電極と各Ｘ電極の電圧差がＶｓ電圧と-Ｖｓ電圧を交互に有し、その結果点灯される放電セルで維持放電が所定回数だけ繰り返して起こる。一方、図２に示したように本発明の第１実施形態による維持放電パルスはローレベル電圧（０Ｖ）からハイレバル電圧Ｖｓに上昇する時と、ハイレべル電圧Ｖｓからローレベル電圧０Ｖに下降する時に中間レベル電圧（Ｖｓ/２）で所定時間停止する。
【００２３】
次に、図２の維持放電パルスを供給する維持放電回路について図３、図４及び図５Ａ乃至図５Ｈを参照して詳細に説明する。
【００２４】
図３は本発明の第１実施形態による維持放電回路４１０の概略的な回路図である。図３においては説明の便宜上複数のＸ電極Ｘ１〜Ｘｎに連結されている維持放電回路４１０の内１つの維持放電回路４１０のみを示しており、このような維持放電回路４１０は図１のＸ電極駆動部４００に形成されてもよい。そして複数のＹ電極Ｙ１〜Ｙｎに連結された維持放電回路５１０も図３の維持放電回路４１０と同一の構造を持つことができるが、図３の維持放電回路４１０と異なる構造を持つこともできる。
【００２５】
このような維持放電回路４１０は複数のＸ電極Ｘ１〜Ｘｎに共通に連結してもよく、或いは複数のＸ電極Ｘ１〜Ｘｎのうちの一部電極にのみに連結してもよい。そして維持放電回路４１０では説明の便宜上一つのＸ電極Ｘと一つのＹ電極Ｙのみを示しており、Ｘ電極（Ｘ）とＹ電極（Ｙ）によって形成される容量性成分をパネルキャパシタＣｐで示した。
【００２６】
図３に示したように、第１実施形態による維持放電回路４１０はトランジスタＳ１、Ｓ２、Ｓ３、Ｓ４、Ｓ５、Ｓ６、ダイオードＤ１、Ｄ２、Ｄ３、インダクタＬ及びキャパシタＣ１、Ｃ２を含む。図３ではトランジスタＳ１〜Ｓ６をｎチャンネル電界効果トランジスタ、特にＮＭＯＳ（ｎ-ｃｈａｎｎｅｌ ｍｅｔａｌ ｏｘｉｄｅ ｓｅｍｉｃｏｎｄｕｃｔｏｒ）トランジスタで示しており、これらトランジスタＳ１〜Ｓ６にはソースからドレイン方向にボディーダイオードが形成されている。そして、ＮＭＯＳトランジスタの代わりに類似な機能をする他のトランジスタがこれらトランジスタＳ１〜Ｓ６として使用されてもよい。また、図３ではトランジスタＳ１〜Ｓ６を各々一つのトランジスタで示したが、トランジスタＳ１〜Ｓ６は各々並列に連結された複数のトランジスタで形成されることもできる。
【００２７】
図３に示しているように、トランジスタＳ１のドレインは維持放電パルスのハイレバル電圧Ｖｓとローレベル電圧０Ｖの半分に相当するＶｓ/２電圧を供給する電源Ｖｓ/２に連結されている。この時、電源Ｖｓ/２はスイッチングモード電源供給装置（ＳＭＰＳ：図示せず）の出力端に連結されたキャパシタによって提供できる。トランジスタＳ１のソースにトランジスタＳ１のドレインが連結されており、トランジスタＳ２のソースはローレベル電圧、つまり、接地電圧０Ｖを供給する接地端に連結されている。キャパシタＣ２の第１端はトランジスタＳ１のソースとトランジスタＳ２のドレインに連結され、キャパシタＣ２の第２端はキャパシタＣ１の第１端に連結されている。キャパシタＣ１の第２端にダイオードＤ１のカソードが連結され、ダイオードＤ１のアノードは電源Ｖｓ/２に連結されている。ここで、ダイオードＤ１はトランジスタＳ２の導通時にキャパシタＣ１、Ｃ２を各々Ｖｓ/４電圧で充電する充電経路を形成し、この充電経路によってキャパシタＣ１、Ｃ２は各々Ｖｓ/４電圧で充電される。ダイオードＤ１の代わりに充電経路を形成することができる他の素子（例えば、トランジスタ）使用することもできる。一方、キャパシタＣ１、Ｃ２を各々Ｖｓ/４電圧で充電するためにはキャパシタＣ１、Ｃ２の容量を同一に選択する。そして二つのトランジスタＳ１、Ｓ２はキャパシタＣ２の第１端にＶｓ/２電圧と０Ｖ電圧を選択的に印加するスイッチング手段（スイッチング部）で動作する。
【００２８】
Ｘ電極にトランジスタＳ５のソース、トランジスタＳ６のドレイン及びトランジスタＳ４のドレインが連結されており、トランジスタＳ５のドレインはキャパシタＣ１の第２端に連結されており、トランジスタＳ６のソースはトランジスタＳ１、Ｓ２とキャパシタＣ２の接続点に連結されている。インダクタＬの第１端はキャパシタＣ２の第２端に連結されており、トランジスタＳ３のドレインはインダクタＬの第２端に連結されており、トランジスタＳ３のソースはトランジスタＳ４のソースに連結されており、トランジスタＳ４のドレインはＸ電極に連結されている。ここで、トランジスタＳ３、Ｓ４はソースが互いに連結されてトランジスタＳ３、Ｓ４が全て遮断された場合、ボディーダイオードを通じて電流経路が形成されることを遮断する。つまり、トランジスタＳ３、Ｓ４は互いにバックツーバックで（対称に）連結されている。一方、図３でインダクタＬ及びトランジスタＳ３、Ｓ４がキャパシタＣ２の第２端とＸ電極との間で互いに直列に連結されている限り充放電共振経路が形成されるので、これらの位置は互いに変わっても関係ない。
【００２９】
ダイオードＤ２のアノードとカソードは各々インダクタＬの第２端とキャパシタＣ１の第２端に連結されており、ダイオードＤ３のアノードとカソードは各々キャパシタＣ２の第１端とインダクタＬの第２端に連結されている。ダイオードＤ２、Ｄ３は各々インダクタＬに残っている電流をフリーホイーリングさせて、残っているエネルギーをキャパシタＣ１、Ｃ２に回収させる役割を担う。
【００３０】
次に、図３の維持放電回路４１０の動作について図４、図５Ａ乃至図５Ｈを参照して詳細に説明する。
【００３１】
図４は本発明の第１実施形態による維持放電回路４１０の信号タイミング図であり、図５Ａ乃至図５Ｈは各々図４の信号タイミングによる図３の維持放電回路４１０の動作を示す図面である。
【００３２】
まず、図４及び図５Ａに示されているように、モード１（Ｍ１）でトランジスタＳ２、Ｓ６が導通して、図５Ａに示したようにＸ電極、トランジスタＳ６、トランジスタＳ２及び接地端の経路を通じてＸ電極に０Ｖ電圧が印加される。また、図５Ａに示したように、電源Ｖｓ/２、ダイオードＤ１、キャパシタＣ１、Ｃ２、トランジスタＳ２及び接地端の経路を通じてキャパシタＣ１、Ｃ２に各々Ｖｓ/４電圧が充電される。この時、トランジスタＳ２、Ｓ６のドレイン電圧が０Ｖ電圧で、トランジスタＳ１、Ｓ５のドレイン電圧がＶｓ/２電圧であるので、遮断されたトランジスタＳ１、Ｓ３、Ｓ４、Ｓ５のドレインソースの間にはＶｓ/２以下の電圧がかかる。つまり、Ｖｓ/２電圧を耐圧として有するトランジスタＳ１、Ｓ３、Ｓ４、Ｓ５を使用することができる。
【００３３】
モード２（Ｍ２）ではトランジスタＳ２が導通した状態でトランジスタＳ６が遮断されトランジスタＳ３が導通されて、図５ｂに示したように接地端、トランジスタＳ２、キャパシタＣ２、インダクタＬ、トランジスタＳ３、トランジスタＳ４のボディーダイオード及びパネルキャパシタＣｐの経路で共振が発生する。この共振によってキャパシタＣ２に充電されたエネルギーがインダクタＬを通じてＸ電極に注入されて、Ｘ電極の電圧Ｖｘが０Ｖ電圧からＶｓ/２電圧まで増加する。
【００３４】
モード３（Ｍ３）ではトランジスタＳ２が導通した状態でトランジスタＳ５が導通されトランジスタＳ３が遮断されて、図５ｃに示したように接地端、トランジスタＳ２、キャパシタＣ２、Ｃ１及びトランジスタＳ５の経路を通じてＸ電極ＸにＶｓ/２電圧が印加される。ここで、キャパシタＣ１とキャパシタＣ２が直列に連結され、キャパシタＣ２の第１端に０Ｖ電圧が印加されて、キャパシタＣ１の第２端の電圧がＶｓ/２電圧になることによってＸ電極にＶｓ/２電圧が印加される。そして、図５ｃに示したように、モード２（Ｍ２）でＸ電極の電圧をＶｓ/２電圧まで増加させた後インダクタＬに電流ＩＬが残っていれば、残っている電流ＩＬはインダクタＬ、ダイオードＤ２及びキャパシタＣ１を通じてフリーホイーリングされる。つまり、インダクタＬに残っているエネルギーがキャパシタＣ１に回収される。この時、トランジスタＳ２のドレイン電圧が０Ｖ電圧で、トランジスタＳ５のドレイン電圧がＶｓ/２電圧であるので、遮断されたトランジスタＳ１、Ｓ３、Ｓ４、Ｓ６のドレインとソースとの間にはＶｓ/２電圧以下がかかる。つまり、Ｖｓ/２電圧を耐圧として有するトランジスタＳ１、Ｓ３、Ｓ４、Ｓ６を使用することができる。
【００３５】
モード４（Ｍ４）ではトランジスタＳ２、Ｓ５が遮断されトランジスタＳ１、Ｓ３が導通されて、図５ｄに示したように電源Ｖｓ/２、トランジスタＳ１、キャパシタＣ２、インダクタＬ、トランジスタＳ３、トランジスタＳ４のボディーダイオード及びパネルキャパシタＣｐの経路で共振が発生する。この共振によって、電源Ｖｓ/２及びキャパシタＣ１に充電されたエネルギーがインダクタＬを通じてＸ電極に注入されてＸ電極の電圧Ｖｘが増加する。この時、電源Ｖｓ/２とキャパシタＣ２は直列に連結されて３Ｖｓ/４電圧を供給するので、Ｘ電極の電圧ＶｘがＶｓ/２電圧からＶｓ電圧まで増加する。
【００３６】
モード５（Ｍ５）ではトランジスタＳ１が導通した状態でトランジスタＳ５が導通されトランジスタＳ３が遮断されて、図５ｅに示したように、電源Ｖｓ/２、トランジスタＳ１、キャパシタＣ２、Ｃ１及びトランジスタＳ５の経路を通じてＸ電極ＸにＶｓ電圧が印加される。ここで、電源ＶｓとキャパシタＣ１、Ｃ２が直列に連結されてキャパシタＣ１の第２端の電圧がＶｓ電圧になるので、Ｘ電極にＶｓ電圧が印加される。そして、図５ｅに示したように、モード４（Ｍ４）でＸ電極の電圧をＶｓ電圧まで増加させた後、インダクタＬに電流ＩＬが残っていれば、残っている電流ＩＬはインダクタＬ、ダイオードＤ２及びキャパシタＣ１を通じてフリーホイーリングされる。つまり、インダクタＬに残っているエネルギーがキャパシタＣ１に回収される。この時、トランジスタＳ２のドレイン電圧がＶｓ/２電圧で、トランジスタＳ６のドレイン電圧がＶｓ電圧であるので、遮断されたトランジスタＳ２、Ｓ３、Ｓ４、Ｓ６のドレインとソースとの間にはＶｓ/２電圧以下がかかる。つまり、Ｖｓ/２電圧を耐圧として有するトランジスタＳ２、Ｓ３、Ｓ４、Ｓ６を使用することができる。
【００３７】
モード６（Ｍ６）ではトランジスタＳ１は導通状態を維持した状態でトランジスタＳ５が遮断されトランジスタＳ４が導通されて、図５ｆに示したようにパネルキャパシタＣｐ、トランジスタＳ４、トランジスタＳ３のボディーダイオード、インダクタＬ、キャパシタＣ２、トランジスタＳ１及び電源Ｖｓ/２の経路で共振が発生する。この共振によってパネルキャパシタＣｐに貯蔵されたエネルギーがインダクタＬを通じてキャパシタＣ２及び電源Ｖｓ/２に回収されながら、Ｘ電極の電圧がＶｓ電圧からＶｓ/２電圧まで減少する。この時、電源Ｖｓ/２とキャパシタＣ２は直列に連結されて３Ｖｓ/４電圧を供給するので、Ｘ電極の電圧ＶｘがＶｓ電圧からＶｓ/２電圧まで減少する。
【００３８】
モード７（Ｍ７）ではトランジスタＳ２、Ｓ５が導通されトランジスタＳ１、Ｓ４が遮断されて、図５Ｇに示したようにＸ電極、トランジスタＳ５、キャパシタＣ１、Ｃ２、トランジスタＳ２及び接地端の経路を通じてＸ電極ＸにＶｓ/２電圧が印加される。ここで、キャパシタＣ１とキャパシタＣ２が直列に連結されてキャパシタＣ１の第２端の電圧がＶｓ/２電圧になるので、Ｘ電極にＶｓ/２電圧が印加される。そして、図５Ｇに示したようにモード６（Ｍ６）でＸ電極の電圧をＶｓ/２電圧まで減少させた後、インダクタＬに電流ＩＬが残っていれば、残っている電流ＩＬはインダクタＬ、キャパシタＣ２及びダイオードＤ３を通じてフリーホイーリングされる。つまり、インダクタＬに残っているエネルギーがキャパシタＣ２に回収される。この時、トランジスタＳ２のドレイン電圧が０Ｖ電圧で、トランジスタＳ６のドレイン電圧がＶｓ/２電圧であるので、遮断されたトランジスタＳ１、Ｓ３、Ｓ４、Ｓ６のドレインとソースとの間にはＶｓ/２電圧以下がかかる。つまり、Ｖｓ/２電圧を耐圧として有するトランジスタＳ１、Ｓ３、Ｓ４、Ｓ６を使用することができる。
【００３９】
モード８（Ｍ８）ではトランジスタＳ２が導通した状態でトランジスタＳ５が遮断されトランジスタＳ４が導通されて、図５Ｈに示したように、パネルキャパシタＣｐ、トランジスタＳ４、トランジスタＳ３のボディーダイオード、インダクタＬ、キャパシタＣ２、トランジスタＳ２及び接地端の経路で共振が発生する。この共振によってパネルキャパシタＣｐに貯蔵されたエネルギーがインダクタＬを通じてキャパシタＣ２に回収されながら、Ｘ電極の電圧がＶｓ/２電圧から０Ｖ電圧まで減少する。この時、キャパシタＣ２の第１端が接地に連結されてキャパシタＣ２がＶｓ/４電圧を供給するので、Ｘ電極の電圧ＶｘがＶｓ/２電圧から０Ｖ電圧まで減少する。
【００４０】
このように、本発明の第１実施形態では維持期間の間にモード１乃至モード８（Ｍ１〜Ｍ８）が当該サブフィールドの加重値に相当する回収だけ繰り返されてＸ電極にＶｓ電圧と０Ｖ電圧が交互に印加できる。一方、Ｘ電極の電圧Ｖｘを０Ｖ電圧からＶｓ/２電圧まで増加させた後、Ｖｓ/２電圧からＶｓ電圧まで上昇させてＸ電極の電圧ＶｘをＶｓ電圧からＶｓ/２電圧まで下降させた後、Ｖｓ/２電圧から０Ｖ電圧まで下降させるので、０Ｖ電圧からＶｓ電圧まで直ちに増加させ、Ｖｓ電圧から０Ｖ電圧まで直ちに下降させる場合に比べて電磁波干渉（ＥＭＩ）を減らすことができる。
【００４１】
以上、本発明の第１実施形態ではＸ電極とＹ電極にハイレバル電圧とローレベル電圧を交互に有する維持放電パルスを反対位相で印加する場合について説明したが、これとは異なってＸ電極とＹ電極のうちの一つの電極にのみ維持放電パルスを印加することもできる。以下、このような実施形態について図６及び図７を参照して詳細に説明する。
【００４２】
図６は本発明の第２実施形態による維持放電パルスを示す図面であり、図７は本発明の第２実施形態による維持放電回路４１０'の概略的な回路図である。
【００４３】
図６に示したように、本発明の第２実施形態では維持期間の間に複数のＸ電極Ｘ１〜ＸｎにＶｓ電圧と-Ｖｓ電圧を交互に有する維持放電パルスが印加され、複数のＹ電極Ｙ１〜Ｙｎには０Ｖ電圧が印加される。そして-Ｖｓ電圧からＶｓ電圧まで上昇し、Ｖｓ電圧から-Ｖｓ電圧まで下降する時、Ｖｓ電圧と-Ｖｓ電圧の中間レベル電圧である０Ｖ電圧で所定時間停止する。このようにすれば、図２の維持放電パルスと同じくＸ電極とＹ電極の電圧差がＶｓ電圧と-Ｖｓ電圧を交互に有することができる。
【００４４】
図７に示されているように、第２実施形態による維持放電回路４１０'は電源で供給する電圧とキャパシタＣ１、Ｃ２に充電される電圧を除けば第１実施形態と同一である。具体的に、トランジスタＳ１のドレインが接地端に連結され、トランジスタＳ２のソースが-Ｖｓ電圧を供給する電源-Ｖｓに連結されている。したがって、トランジスタＳ１、Ｓ２の動作によってキャパシタＣ２の第１端には-Ｖｓ電圧と０Ｖ電圧を選択的に印加することができる。そしてトランジスタＳ２が導通する場合、ダイオードＤ１によってキャパシタＣ１、Ｃ２の各々にはＶｓ/２電圧が充電できる。
【００４５】
そして、この場合にも遮断されたトランジスタのドレインとソースとの間にはハイレバル電圧Ｖｓとローレベル電圧-Ｖｓの差の半分に相当する電圧Ｖｓ以下の電圧がかかる。したがって第２実施形態による維持放電回路４１０'はＸ電極にＶｓ電圧と-Ｖｓ電圧を交互に印加し、小さな耐圧を有するトランジスタを使用することができる。
【００４６】
そして、図６及び図７ではＸ電極に維持放電回路４１０'が連結され、Ｙ電極には０Ｖ電圧が印加されると仮定したが、Ｙ電極に維持放電回路が連結されてＸ電極に０Ｖ電圧が印加されてもよい。
【００４７】
また、図７の回路でトランジスタＳ２のソースと-Ｖｓ/２電圧を供給する電源に連結すれば、Ｘ電極にＶｓ/２電圧と-Ｖｓ/２電圧を交互に有する維持放電パルスが印加されることもできる。この場合にはＹ電極にＶｓ/２電圧と-Ｖｓ/２電圧を交互に有する維持放電パルスをＸ電極に印加される維持放電パルスと反対位相で印加することができる。
【００４８】
以上、本発明の実施形態について詳細に説明したが、本発明の権利範囲はこれに限定されず、請求範囲で定義している本発明の基本概念を利用した当業者の様々な変形及び改良形態もまた本発明の権利範囲に属する。
【産業上の利用可能性】
【００４９】
本発明はプラズマ表示装置に利用することができる。
【図面の簡単な説明】
【００５０】
【図１】本発明の実施形態によるプラズマ表示装置の概略的な概念図である。
【図２】本発明の第１実施形態による維持放電パルスを示す図面である。
【図３】本発明の第１実施形態による維持放電回路の概略的な回路図である。
【図４】本発明の第１実施形態による維持放電回路の信号タイミング図である。
【図５Ａ】図４の信号タイミングによる図３の維持放電回路の動作を示す図面である。
【図５Ｂ】図４の信号タイミングによる図３の維持放電回路の動作を示す図面である。
【図５Ｃ】図４の信号タイミングによる図３の維持放電回路の動作を示す図面である。
【図５Ｄ】図４の信号タイミングによる図３の維持放電回路の動作を示す図面である。
【図５Ｅ】図４の信号タイミングによる図３の維持放電回路の動作を示す図面である。
【図５Ｆ】図４の信号タイミングによる図３の維持放電回路の動作を示す図面である。
【図５Ｇ】図４の信号タイミングによる図３の維持放電回路の動作を示す図面である。
【図５Ｈ】図４の信号タイミングによる図３の維持放電回路の動作を示す図面である。
【図６】本発明の第２実施形態による維持放電パルスを示す図面である。
【図７】本発明の第２実施形態による維持放電回路の概略的な回路図である。
【符号の説明】
【００５１】
１００  プラズマ表示パネル、
１１０  放電セル、
２００  制御部、
３００  アドレス電極駆動部、
４００  維持電極駆動部、
４１０、４１０’  維持放電回路、
５００  走査電極駆動部、
Ａ１〜Ａｍ  アドレス電極（Ａ電極）、
Ｃ１、Ｃ２  キャパシタ、
Ｃｐ  パネルキャパシタ、
Ｄ１、Ｄ２、Ｄ３  ダイオード、
ＩＬ  電流、
Ｌ  インダクタ、
Ｓ１、Ｓ２、Ｓ３、Ｓ４、Ｓ５、Ｓ６  トランジスタ、
Ｘ１〜Ｘｎ  維持電極（Ｘ電極）、
Ｙ１〜Ｙｎ  走査電極（Ｙ電極）。
【図１】
2007122049.tif 000003
【図２】
2007122049.tif 000004
【図３】
2007122049.tif 000005
【図４】
2007122049.tif 000006
【図５Ａ】
2007122049.tif 000007
【図５Ｂ】
2007122049.tif 000008
【図５Ｃ】
2007122049.tif 000009
【図５Ｄ】
2007122049.tif 000010
【図５Ｅ】
2007122049.tif 000011
【図５Ｆ】
2007122049.tif 000012
【図５Ｇ】
2007122049.tif 000013
【図５Ｈ】
2007122049.tif 000014
【図６】
2007122049.tif 000015
【図７】
2007122049.tif 000016